(57)【要約】【課題】  架線にワンタッチで簡単に装着でき、ずり下げ誘引に必要な長さの誘引紐の供給を可能にする誘引紐用結束具を提供すること。【解決手段】  先端に配置された取付けフックと前記第２の把持片と対向する側に突出する環状の軸保持片と該軸保持片に隣接して形成された誘引紐狭持片とストッパ片とを備えた第１の把持片と、第１の把持片と対向する側に突出する環状の軸保持片と該軸保持片に隣接して形成された誘引紐狭持片とストッパ片とを備えた第２の把持片と、前記軸保持片に挿通され第１の把持片と第２の把持片を回動自在に支持する回動軸と、前記第１の把持片と第２の把持片を夫々の誘引紐狭持片が当接する方向に付勢するバネ部材とを備え、前記第１、第２の把持片をバネ部材の付勢力に抗して寄せ合わすことにより、相互の誘引紐狭持片を離隔させるようにしたので、架線にワンタッチで簡単に装着できるとともに、ずり下げ誘引に必要な長さの誘引紐を供給できる。【選択図】  図１
2005137205.tif 000002
【特許請求の範囲】
【請求項１】
先端に形成された取付けフックによって、架線に吊り下げるとともに、第１の把持片と第２の把持片が回動軸を中心にして回動して、誘引紐を狭持するとともに、狭持した余剰の紐を送り出して茎のずり下げ栽培を可能とする誘引紐用結束具であって、
先端に配置された取付けフックと前記第２の把持片と対向する側に突出する環状の軸保持片と該軸保持片に隣接して形成された誘引紐狭持片とストッパ片とを備えた第１の把持片と、
第１の把持片と対向する側に突出する環状の軸保持片と該軸保持片に隣接して形成された誘引紐狭持片とストッパ片とを備えた第２の把持片と、
前記軸保持片に挿通され第１の把持片と第２の把持片を回動自在に支持する回動軸と、
前記第１の把持片と第２の把持片を夫々の誘引紐狭持片が当接する方向に付勢するバネ部材とを備え、
前記第１、第２の把持片をバネ部材の付勢力に抗して寄せ合わすことにより、相互の誘引紐狭持片を離隔させるようにしたことを特徴とする誘引紐用結束具。
【発明の詳細な説明】
【技術分野】
【０００１】
本発明は、温室或いは圃場で苗の生育を補助し、上に伸びる植物の茎を案内する誘引用の余剰紐を送り出すことを可能にする。この送り出されてくる余剰紐を使用し、茎をずり下げることにより作物の長期栽培（長期収穫）を可能にした誘引紐用結束具に関するものである。
【背景技術】
【０００２】
一般にキウリ、トマト、メロンなどの苗の茎は生育するにつれ上に長く伸びて行く。天井のある温室或いは圃場では生長点が限界点を越さぬ様（１）茎のずり下げ、（２）Ｕターン、（３）斜め誘引等工夫を凝らしている。
【発明の開示】
【発明が解決しようとする課題】
【０００３】
上記（１）茎のずり下げ作業に於いて、現行紐巻き式ボビンでは、（イ）スムーズな余剰紐の送り出し作業ができない。（ロ）使用後の紐の再巻き取り作業等手数がかかっているため、使用年数が短くコストが高い。（ハ）使用後のボビンや紐の処理に苦慮している。
【０００４】
本発発明は、前記実情に鑑み提案されたもので、取手を握ることにより誘引紐用結束具の口が開き余剰誘引紐をスムーズに送り出し、茎のずり下げ作業を容易に行うことができる誘引紐用結束具を提供することを目的とする。また、取手を放すことにより、その位置で誘引紐を堅持でき、誘引紐に関しても架線から地上までの約２倍の長さがあれば充分であり何度も使用出来コストダウンを図ることのできる誘引紐用結束具を提供することを目的とする。
【課題を解決するための手段】
【０００５】
前記目的を達成するために、本願の発明は、先端に形成された取付けフックによって、架線に吊り下げるとともに、第１の把持片と第２の把持片が回動軸を中心にして回動して、誘引紐を狭持することのできる誘引紐用結束具であって、先端に配置された取付けフックと前記第２の把持片と対向する側に突出する環状の軸保持片と該軸保持片に隣接して形成された誘引紐狭持片とストッパ片とを備えた第１の把持片と、第１の把持片と対向する側に突出する環状の軸保持片と該軸保持片に隣接して形成された誘引紐狭持片とストッパ片とを備えた第２の把持片と、前記軸保持片に挿通され第１の把持片と第２の把持片を回動自在に支持する回動軸と、前記第１の把持片と第２の把持片を夫々の誘引紐狭持片が当接する方向に付勢するバネ部材とを備え、前記第１、第２の把持片をバネ部材の付勢力に抗して寄せ合わすことにより、相互の誘引紐狭持片を離隔させるようにしたことを特徴とするものである。
【発明の効果】
【０００６】
この発明は前記した構成からなるので、以下に説明するような効果を奏することができる。本発明の誘引紐用結束具は、バネ部材に抗して開いた誘引紐狭持片の間に誘引紐を導き、誘引紐を奥まで入れて第１、第２の把持片に加えた力を解放するだけで誘引紐を固着することができる。また、先端に形成された取付けフックを架線に引っ掛けるのみで、架線への誘引紐の結束作業がワンタッチで完了し、紐で縛つたり、テープを巻付けたりする苦労から解放される。また、本発明の誘引紐用結束具は、取付けフック部を除いて、左右対称であり、誘引紐をくわえる際に、左右のストッパ片が当接してそれ以上の誘引紐の咬み込みを阻止することができる。また誘引紐を互い違いに曲げてくわえるため、誘引紐が引き抜ける虞れもなく、確実に保持することができる。
【実施例】
【０００７】
以下、一実施の形態を示す図面に基づいて本発明を詳細に説明する。図１は、本発明に係る誘引紐用結束具の一例を示す全体斜視図、図２は本発明の誘引紐用結束具を示す平面図である。ここで示す実施例において、誘引紐用結束具１０は、第１の把持片１１と第２の把持片１２が回動軸１３を中心にして回動して、誘引紐１４を狭持することのできるものであって、先端に配置された取付けフック１６と第２の把持片１２と対向する側に突出する環状の軸保持片１７と該軸保持片１７に隣接して形成された誘引紐狭持片１８とストッパ片１９とを備えた前記第１の把持片１１と、第１の把持片１１と対向する側に突出する環状の軸保持片１７と該軸保持片１７に隣接して形成された誘引紐狭持片１８とストッパ片１９とを備えた第２の把持片１２と、前記軸保持片１７に挿通され第１の把持片と第２の把持片を回動自在に支持する回動軸１３と、前記第１の把持片１１と第２の把持片１２を夫々の誘引紐狭持片１８が当接する方向に付勢するバネ部材２０とから構成されている。
【０００８】
第１の把持片１１は、ほぼ直線状に伸びた握り部１１ａと第２の把持片１２と対向する側に突出する環状の軸保持片１７と該軸保持片１７に隣接して形成された誘引紐狭持片１８とストッパ片１９とを備えている。軸保持片１７は、先端外周がほぼ半円形に形成されており、対向する第２の把持片１２側に形成された半円形凹部１２ｃと当接して回動可能となる。この際の回動中心は、軸保持片１７に挿通される回動軸１３の軸心と一致する。また、軸保持片１７は、第１の把持片１１の幅方向に複数配置されており、第２の把持片１２側に配置された軸保持片１７と互い違いに配置されている。更に、第１の把持片１１は、第２の把持片１２側に設けられた軸保持片１７の先端が当接する半円形凹部１１ｃが形成されている。また、第１の把持片１１には、ほぼ円形のバネ部材２０を挿通するための挿通孔１１ｂが形成されている。
【０００９】
軸保持片１７に隣接して形成された誘引紐狭持片１８は、狭持凹部１８ａを有している。また、誘引紐狭持片１８は、幅方向に複数配置されており、第２の把持片１２に取り付けられた誘引紐狭持片１８と互い違いになる様に配置されている（図４、図５参照）。
【００１０】
回動中心より更に先にストッパ片１９が配置されており、相互のストッパ片１９が当接して第１の把持片１１と第２の把持片１２の回動を阻止する。また、第１の把持片１１の回動中心から更に先端には取付けフック１６が形成されている。取付けフック１６は、ほぼ逆Ｕ字状をしており、架線１５に容易に引っ掛けることができる。
【００１１】
第２の把持片１２は、取付けフック１６を除くと第１の把持片１１とほぼ対称に形成されている。ここで、第２の把持片１２は、第１の把持片１１と対向する側に突出する環状の軸保持片１７と該軸保持片１７に隣接して形成された誘引紐狭持片１８とストッパ片１９とを備えている。軸保持片１７は、先端外周がほぼ半円形に形成されており、対向する第１の把持片１１側に形成された半円形凹部１１ｃと当接して回動可能となる。この際の回動中心は、軸保持片１７に挿通される回動軸１３の軸心と一致する。また、軸保持片１７は、第２の把持片１２の幅方向に複数配置されており、第１の把持片１１側に配置された軸保持片１７と互い違いに配置されている。更に、第２の把持片１２は、第１の把持片１１側に設けられた軸保持片１７の先端が当接する半円形凹部１２ｃが形成されている。また、第２の把持片１２には、ほぼ円形のバネ部材２０を挿通するための挿通孔１２ｂが形成されている。
【００１２】
回動軸１３は、第１の把持片１１側の軸保持片１７と第２の把持片１２側の軸保持片１７との形成する円形空間に挿通可能な外径を有しており、端部に抜け止めフランジ１３ａを備えている。
【００１３】
図５は、本発明の誘引紐用結束具の咬み合わせ部を示す拡大断面図である。本実施例では、誘引紐狭持片１８がそれぞれの把持片に２枚宛、所定の間隔を有して配置されており、第１の把持片１１と第２の把持片１２を組み合わせると、互い違いに組み合わされる。この誘引紐狭持片１８は、それぞれの握り部１１ａ、１２ａをバネ部材２０の付勢力に抗して握った際に、左右に離隔し誘引紐１４を導入することができる。
【００１４】
ストッパ片１９は、第１の把持片１１及び第２の把持片１２に形成されており、握り部１１ａ、１２ａから手を離した際に、バネ部材２０の付勢力で閉じる限界を規制する。
【００１５】
バネ部材２０は、一部を切り欠いたほぼ円形をしており、第１の把持片１１及び第２の把持片１２に形成された挿通孔１１ｂ、１２ｂに挿通されるとともに、それぞれの端部が第１の把持片１１及び第２の把持片１２に形成されたバネ取り付け凹部１１ｄ、１２ｄに係着される。
【００１６】
次に、以上のように構成された本発明に係る誘引紐用結束具１０の使用態様について説明する。先ず、図３に示すように握り部１１ａ、１２ａを握ると回動軸１３を中心にバネ部材２０の付勢力に抗して回動し、ストッパ片１９、１９及び誘引紐狭持片１８、１８が離隔する。離隔した誘引紐狭持片１８、１８間に誘引紐１４を引き込み、手を離すと図５に示すようにバネ部材２０の付勢力で誘引紐狭持片１８が閉じ、誘引紐１４が固定される。誘引紐１４は、互い違いに配置された誘引紐狭持片１８で複数にクランク状に折り曲げて挟まれるので、引き抜ける虞れがない。
【００１７】
図７、８は、本発明の誘引紐用結束具の使用状態を示す説明図である。誘引紐１４を固着した誘引紐用結束具１０を、図７に示すように温室或いは圃場に所定の高さに張り渡された架線１５に取付けフック１６を掛ける。誘引紐１４の先端は、苗の根本Ｋに結び付けるとともに、茎に沿って巻回する。また、誘引紐１４は、誘引紐用結束具１０の反対側に余剰部分１４ａが垂れ下がっている。図７に示す場合、誘引紐用結束具１０は苗のほぼ真上に位置している。苗が生長するにしたがって誘引紐用結束具１０を架線１５に沿ってずらせて行く。この時、余剰の誘引紐１４ａを引き出しながら移動する。
【００１８】
図６は、本発明の誘引紐用結束具を示す他の実施例である。本実施例において、誘引紐１４を巻回したボビン２１が着脱自在に取り付けられている。ボビン２１を回転可能に支持する軸２２は、例えば、回動軸１３に取り付けられている。
【００１９】
このように構成した場合、把持片を握って誘引紐狭持片１８を開くことで、誘引紐１４を自在に繰り出すことができる。したがって、ずり下げ栽培の労力を軽減することができる。
【００２０】
尚、以上の実施例では、誘引紐狭持片１８の数が２枚の場合について説明したが、３枚以上であてもよい。
【図面の簡単な説明】
【００２１】
【図１】図１は、本発明に係る誘引紐用結束具の一例を示す全体斜視図である。
【図２】図２は、同誘引紐用結束具の回動軸を切断した状態を示す平面図である。
【図３】図３は、同誘引紐用結束具を開いた状態を示す平面図である。
【図４】図４は、第１の把持片を示す側面図である。
【図５】図５は、同誘引紐用結束具の咬み合わせ部を示す拡大断面図である。
【図６】図６は、同誘引紐用結束具の他の実施例を示す側面図である。
【図７】図７は、同誘引紐用結束具の使用状態を示す説明図である。
【図８】図８は、同誘引紐用結束具の使用状態を示す説明図である。
【符号の説明】
【００２２】
１０      誘引紐用結束具
１１      第１の把持片
１１ａ    握り部
１１ｂ    挿通孔
１１ｃ    半円形凹部
１１ｄ    バネ取り付け凹部
１２      第２の把持片
１２ａ    握り部
１２ｂ    挿通孔
１２ｃ    半円形凹部
１２ｄ    バネ取り付け凹部
１３      回動軸
１３ａ    フランジ  
１４      誘引紐
１５      架線
１６      取付けフック
１７      軸保持片
１８      誘引紐狭持片
１８ａ    狭持凹部
１９      ストッパ片
２０      バネ部材
２１      ボビン
【図１】
2005137205.tif 000003
【図２】
2005137205.tif 000004
【図３】
2005137205.tif 000005
【図４】
2005137205.tif 000006
【図５】
2005137205.tif 000007
【図６】
2005137205.tif 000008
【図７】
2005137205.tif 000009
【図８】
2005137205.tif 000010